(57)【特許請求の範囲】
【請求項１】
机の左右の脚体の少なくとも一方の脚体内に、配線用の空間部を設けるとともに、前記空間部の内側の上下縁に各々対向するように設けられたレール部に上下端部が摺動自在に嵌合されるカバー体を設け、該カバー体を前後摺動させることで、前記空間部が開閉されるようになっていることを特徴としてなる配線ダクトを備える机。
【請求項２】
前記カバー体の適所に、配線取り出し用の通孔が設けられている請求項１に記載の配線ダクトを備える机。
【請求項３】
前記カバー体が机の脚を構成する内側板である請求項１又は２に記載の配線ダクトを備える机。
【発明の詳細な説明】
【０００１】
【発明の属する技術分野】
本発明は、机上において使用される各種電気機器のコード類を、邪魔にならないように、かつ体裁よく、机の側面に沿って机上に導きうる机に関するものである。
【０００２】
【従来の技術】
従来、この種の机としては実公昭６３−１８３４６号公報等が開示されている。
【０００３】
この従来技術を図６、７に基づいて簡単に説明すると、各図において０１は机の天板、０２は天板０１の縁材、０３は前記天板０１の両端を支持する脚体であり、該脚体０３は、所定間隔を有する２枚の板０３ａ、０３ｂとで構成されている。尚、天板０１の後部左右両脚体０３間には後面板０６が設けられている。
【０００４】
天板０１の後端面には、縁材０２を挟んで上面開口する（特に図示せず）チャンネル状の水平ダクト０４が固着されている。このダクト０４の上面開口部には、カバー０５が着脱自在に取付けられている。そして天板０１上に載置される種々の機器のコード類は、前記カバー０５に設けられた通孔０５ａを介してダクト０４内に挿通可能になっている。
【０００５】
また、脚体０３の後端には、垂直ダクト０７が内設されており、その後端開口部にはカバー０８が着脱自在に取付けられている。この垂直ダクト０７は前記水平ダクト０４と内部において連通されており（特に図示せず）、水平ダクト０４より上下方向に配線されるコード類を脚体０３下部に設けられた通孔０９から外部に導けるようになっている。
【０００６】
【発明が解決しようとする課題】
しかしながら、このような机の場合、コード類が入る配線ダクトの断面積が小さいために、収納できる配線本数が限定され、多量のコード類が使用される場合は、収納できないコード類が露呈し、見苦しく、かつ机の傍らを通る人の邪魔になっていた。また、配線の処理を行うためには、少量の配線であっても配線ダクトから配線ダクトを覆う配線カバーを外さなければならず、配線作業が面倒であった。
【０００７】
本発明はこのような問題点に着目してなされたもので、多量の配線が使用される場合でも、全ての配線を体裁よく配線ダクト内に収納でき、配線が露呈して机の傍らを通る人の邪魔になることがなく、さらには、配線カバーを外すことなく配線作業を容易に行える配線ダクトを備える机を提供することを目的としている。
【０００８】
【課題を解決するための手段】
上記目的を達成するために、本発明の配線ダクトを備える机は、机の左右の脚体の少なくとも一方の脚体内に、配線用の空間部を設けるとともに、前記空間部の内側の上下縁に各々対向するように設けられたレール部に上下端部が摺動自在に嵌合されるカバー体を設け、該カバー体を前後摺動させることで、前記空間部が開閉されるようになっていることを特徴としている。
この特徴によれば、カバー体を前方へ摺動させることで、脚体内に設けられた配線空間部の内側面を大きく開放でき、天板裏面側に引き込んだ多量のコード類等をカバー体を外すことなく体裁よく収納することが可能となるので、配線作業が容易になる。また、配線空間が内向開放することで、机の側面に他の机やパーティション等があっても机を移動することなく机内部より配線作業が行える。
【０００９】
本発明の配線ダクトを備える机は、前記カバー体の適所に、配線取り出し用の通孔が設けられていることが好ましい。
このようにすることで、少量のコードの配線作業は、僅かにカバー体を摺動させるたけで容易に行える。
【００１０】
本発明の配線ダクトを備える机は、前記カバー体が机の脚を構成する内側板であることが好ましい。
このようにすることで、カバー体を別途設ける必要がなくなり、体裁がよく、また脚内の空間を全て配線用の空間として利用できることになる。
【００１１】
【発明の実施の形態】
以下、本発明の実施例を図面に基づいて説明すると、まず図１には本発明実施例の机の使用状態を示す斜視図が示されており、図中１は机の天板、２は天板１の両端を支持する脚体、３は天板の１の後方に位置し、前記左右両脚体２間に配設される後面板をそれぞれ示しており、前記天板１上にはパソコン４及び電話機５等が載置されている。これらパソコン４、電話機５より延出される種々のコード４ａ、５ａはそれぞれ天板１上に設けられた配線カバー６の通孔６ａを介して天板１の裏面に導かれるようになっている。
【００１２】
左右の脚体２は、特に図２〜図４に示されるように、天板１裏面に固設される上部フレーム７と、床面に接地する脚部としての下部フレーム８と、該上・下部フレーム７、８の上・下面にそれぞれ固着される水平部材９、１０と、該水平部材９、１０間前後端に配設される垂直部材１１、１２と、脚体２の側面を構成する内側板１３、外側板１４とから構成され、前記上・下部フレーム７、８は互いに長寸のボルト１５及びナット１５ａを介して連結固定されるようになっている。
【００１３】
上・下部フレーム７、８間垂直方向には、前記水平部材９、１０と、垂直部材１１、１２及び内側板１３、外側板１４により覆われる空間部Ｓが形成されるようになっている。そして本実施例において特に図１中左側の脚体２の内側にある内側板１３は、特に図４に示されるようにその上下端に形成された案内溝１７を介して上下の水平部材９、１０の対向面にそれぞれ突設されたガイドレール１６に摺動自在に嵌合されているため、内側板１３を前方に移動すれば空間部Ｓの内向き側が開口されるようになっている。さらに前記内側板１３の後端上、下部にはそれぞれ切欠き部１８、１９が形成されており、この切欠き部１８、１９がコード類の通孔として機能するようになっている。
【００１４】
また、空間部Ｓ内には略Ｌ字形状のコードフック２０が、特に図２に示されるように、内側板１３を閉塞した際に前記コードフック２０の少なくとも下半部が切欠き部１８より外部に望むように水平部材９の所定箇所に形成された凹部９ａから吊設されている。
【００１５】
このコードフック２０は断面略円形状の棒材で形成されているので、コード類を切欠き部１８の周縁に引掛けることなく滑らかに移動させることができるようになっている。
【００１６】
後面板３の前面上部には、前面が開口するチャンネル形状のコンセント取付ダクト２１と、該コンセント取付ダクト２１の下部に上方が開口するように設けられた配線ダクト２２と、からなる配線ダクト装置２３が机の左右方向に固設されており、天板１の裏面に挿通されたコード類を水平方向に配線できるようになっている。
【００１７】
前記コンセント取付ダクト２１の開口縁には、コンセント２４がその上下面に形成された案内溝２５（図２参照）を介して左右方向に摺動自在に嵌合されている。そして前記コンセント２４の後方より延出する電源コード２４ａは、コンセント取付ダクト２１を通り、切欠き部１８を介して空間部Ｓ内に収納挿通されている。
【００１８】
このように構成された本発明実施例の机における配線方法を図面に基づいて説明していくと、まず図１に示されるように天板１上に載置された電話機５やパソコン４等の種々のコード類は前述したように配線カバー６の通孔６ａを介して天板１裏面に挿通できるようになっている。
【００１９】
天板１裏面に挿通されたコード類のうち特に図中右側にあるパソコン４のコード４ａは、配線ダクト２２を介して図中右側から左側に向って水平に配線される。ここで適宜電源用のコードはプラグを介してコンセント２４の差込口に差込まれる。
【００２０】
次にコード４ａを垂直方向に配線するには、図２、３中２点鎖線で示されるように内側板１３を前方に所定距離移動させ、脚体２の空間部Ｓを机の奥側位置で開放し、コード４ａをコンセント２４の電源コード２４ａとともにコードフック２０に懸吊させる。ここで余剰コードを束ねたりする等の処理を施し、空間部Ｓ内に収めておくことが好ましい。そしてこれらコード４ａ、２４ａの下端が切欠き部１９より外部に挿通するように内側板１３を閉塞すればよい。
【００２１】
以上説明してきたように本発明実施例の机にあっては、内側板１３を前方に移動させることで脚体２内に形成された空間部Ｓ内を大きく開放できるので、多量のコード類を体裁よく収納することが可能になる。また、カバー体としての内側板１３を前後方向に摺動可能に設けたことにより、配線作業時に内側板１３が作業者の邪魔になることがない。また空間部Ｓ内面を配線量に応じた分だけ開口するだけで配線作業が行えるので、作業が簡素化される。
【００２２】
以上、本発明の実施例を図面により説明してきたが、具体的な構成はこれら実施例に限られるものではなく、本発明の要旨を逸脱しない範囲における変更や追加があっても本発明に含まれる。
【００２３】
例えば、本発明実施例において空間部Ｓは一方の脚体２にのみ形成されていたが、他方の脚体２、又は両方の脚体２に形成されていてもよく、また脚体２の空間部Ｓの寸法、構造等は種々に変形可能である。
【００２４】
また、本実施例として電源用のコードのみにおいて説明しているが、コードとして通信用のコード等もコードの概念に含まれることは明らかである。さらにコードには電話線も含まれる。
【００２５】
【発明の効果】
本発明は次の効果を奏する。
【００２６】
（ａ）請求項１の発明によれば、カバー体を前方へ摺動させることで、脚体内に設けられた配線空間部の内側面を大きく開放でき、天板裏面側に引き込んだ多量のコード類等をカバー体を外すことなく体裁よく収納することが可能となるので、配線作業が容易になる。また、配線空間が内向開放することで、机の側面に他の机やパーティション等があっても机を移動することなく机内部より配線作業が行える。
【００２７】
（ｂ）請求項２の発明によれば、少量のコードの配線作業は、僅かにカバー体を摺動させるたけで容易に行える。
【００２８】
（ｃ）請求項３の発明によれば、カバー体を別途設ける必要がなくなり、体裁がよく、また脚内の空間を全て配線用の空間として利用できることになる。
【００２９】
【図面の簡単な説明】
【図１】本発明実施例の配線ダクトを備える机の使用状態を表わす一部破断斜視図である。
【図２】図１のＡ−Ａ断面図である。
【図３】図２のＢ−Ｂ断面図である。
【図４】図２のＣ−Ｃ断面図である。
【図５】従来の配線ダクトを備える机を示す斜視図である。
【図６】図５のＤ−Ｄ断面図である。
【符号の説明】
１                  天板
２                  脚体
３                  後面板
４                  パソコン
５                  電話機
４ａ、５ａ、２４ａ  コード
６                  配線カバー
６ａ                通孔
７                  上部フレーム
８                  下部フレーム
９、１０            水平部材
１１、１２            垂直部材
１３                  内側板（カバー体）
１４                  外側板
１５                  ボルト
１５ａ                ナット
１６                  ガイドレール（レール部）
１７                  案内溝
１８、１９            切欠き部
２０                  コードフック
２１                  コンセント取付ダクト
２２                  配線ダクト
２３                  配線ダクト装置
２４                  コンセント
２５                  案内溝
【図１】
0003643177.tif 000002
【図２】
0003643177.tif 000003
【図３】
0003643177.tif 000004
【図４】
0003643177.tif 000005
【図５】
0003643177.tif 000006
【図６】
0003643177.tif 000007